(57)【特許請求の範囲】
【請求項１】
複数の発光ダイオードからの光を液晶パネルに照射するバックライト装置を備えた液晶ディスプレイ機器において、
前記発光ダイオードからの光を面光源として前記液晶パネルに導くための導光部材を有し、
前記導光部材は、所定の形状に分割された分割導光体の結合体であって、
前記分割導光体の一部あるいは全部は、複数種の前記液晶パネルのサイズを構成する公約数的な大きさによって、樹脂成形されており、
前記複数の分割導光体の各々は、前記各発光ダイオードに対応して設けられ、前記発光ダイオード側に開口を向けた空間部及び肉厚の導光部を有する箱形状を為しており、かつ前記空間部を形成する側面内壁と、該側面内壁と共に前記導光部を形成する側面外壁とを含み、
前記側面内壁は、前記側面外壁と対向する垂直面と、前記開口の面積を前記発光ダイオード側に向けて広げるように傾斜された傾斜面とを含み、
前記各分割導光体の側面外壁及び前記側面内壁の前記垂直面のそれぞれに光の反射面が設けられており、前記側面内壁の傾斜面は光の入射面とされている
ことを特徴とする液晶ディスプレイ機器。
【請求項２】
請求項１に記載の液晶ディスプレイ機器において、前記分割導光体の一部あるいは全部は、同一の形状をもつ成形型によって樹脂成形された複数によって構成されていることを特徴とする液晶ディスプレイ機器。
【請求項３】
請求項１に記載の液晶ディスプレイ機器において、
前記複数種の液晶パネルに対する各々の導光部材は、所定の形状に成形された複数個の前記分割導光体を保持部材あるいは接着部材によってマトリックス状に結合して一体構造し、前記複数種の任意の液晶パネルサイズに対応する大きさに構成された
ことを特徴とする液晶ディスプレイ機器。
【請求項４】
請求項１乃至３のいずれか１つに記載の液晶ディスプレイ機器において、
前記液晶パネルは、入射側の偏光板を反射型偏光板とした構成であって、前記箱形状の導光部材は、前記液晶パネルと対向する平面に前記入射側の偏光板で反射された光を錯乱する凹凸パターンを有する構成とした
ことを特徴とする液晶ディスプレイ機器。
【発明の詳細な説明】
【技術分野】
【０００１】
本発明は、液晶ディスプレイ機器に係わり、バックライトの光を効率良く高輝度に液晶パネルを透過させるための技術に関するものである。
【背景技術】
【０００２】
液晶ディスプレイ機器は、バックライトとしての光源からの光を液晶パネル面に導光する導光板や、導光板からの出射光、および液晶パネルの直下からの光源の光を液晶パネルに均一に照射するための拡散板などの光学機能部材を有している。よって、液晶パネルの大型化に伴って拡散板、および導光板自体も大面積となる。これら光学機能部材の大型化は、これらを製造する設備装置の大型化が必要であることから、製造上におけるコスト増加や加工精度の維持などの困難さを招いている。
【０００３】
また、液晶ディスプレイ機器は、さらなる画質の向上や薄型化のために、バックライトとして発光ダイオード（ＬＥＤ）を使用する検討がなされている。しかも、液晶パネルの大形化によって、ＬＥＤのバックライト方式も光源との距離の関係でサイドライト型から直下ライト型に移行していく状況にある。ただ、ＬＥＤは、一般的に所定の指向特性を有する点光源であることから、液晶パネルの直下のＬＥＤによって輻射する光を液晶パネルに均一な面光源として照射するためには、冷陰極管の線光源よるバックライトにおける導光板、拡散板とは異なる輻射光の導光、および拡散技術が必要となる。
【０００４】
ＬＥＤの直下ライト型バックライトにおける導光技術に関しては、例えば、特許文献１乃至３に記載のものが開示されている。
【０００５】
特許文献１は、ＬＥＤ光源を用いた直下照明型において、透明な導光板の背面に複数のＬＥＤ光源を配し、導光板の照射面はＬＥＤ光源の発光中心に頂点を持つ光入射プリズムを形成し、反射面に微細プリズムを形成し、導光板の裏面に微細プリズムを形成するとともに、さらに光照射面側には、光拡散板を配した構造を開示している。
【０００６】
特許文献２は、光学パケージされたバックライトアセンブリにおいて、発光部上に配置される光学レンズ部にサイド方向に延長させた導光部を設けた構造とし、導光機能を有する光学レンズを接続部材で結合し、導光部を介して隣接部に光を伝達させ、発光ダイオードから出射される光の均一度を向上させることを開示している。
【０００７】
特許文献３は、ＬＥＤからの光を集光するレンズと、導光板の中央部には集光した光の反射部を設け、更に導光板の下面には反射された光を散乱させる光散乱部を設けることにより、導光板内の反射散乱された光を導光板から外部に出ることを防止することを開示している。
【０００８】
【特許文献１】特開２００６−１６４６２５号公報
【特許文献２】特開２００６−３０２８６３号公報
【特許文献３】特開２００７−２６７０２号公報
【発明の開示】
【発明が解決しようとする課題】
【０００９】
特許文献1に記載の技術は、複数の導光板を平面状、行列状に隣接して配置しているが、隣接する導光板からの入射してくる光は、複数の導光板を導波させることによって輝度分布を向上させているため、行列状に配置された導光板の場所によって、隣接からの導かれる光の状態が異なることから輝度分布を抑制できない可能性がある。
【００１０】
特許文献２に記載の技術は、個別の光学パッケージにおいて光を管理することを考慮するものではなく、引用文献１と同様に従来の導光技術における課題を有するものである。
【００１１】
特許文献３に記載の技術は導光板内の反射散乱された光を導光板から外部に出ることを防止しているが、ＬＥＤ、集光レンズ、導光板を積層構成とするため、集光レンズ、導光板による光反射部材などの錯乱までの光の進行を制御するための配置スペースが大きくなる懸念がある。さらには、ＬＥＤと集光レンズの積層配置によって、高角輻射光の利用を遺失する可能性がある。
【００１２】
また、特許文献１乃至３のいずれにも液晶パネルへの入射光の偏光における光の遺失分については何ら考慮されていない。
【００１３】
本発明は、上記課題に鑑みて為されたものであり、その目的は、大画面の液晶ディスプレイ機器において、ＬＥＤバックライトによる高輝度で均一な画質を低コストで得るための技術を提供することにある。
【課題を解決するための手段】
【００１４】
本発明は、複数の発光ダイオードからの光を液晶パネルに照射するバックライト装置を備えた液晶ディスプレイ機器において、前記発光ダイオードからの光を面光源として前記液晶パネルに導くための導光部材を有し、
前記導光部材は、所定の形状に分割された分割導光体の結合体であって、
前記分割導光体の一部あるいは全部は、複数種の前記液晶パネルのサイズを構成する公約数的な大きさによって、樹脂成形されており、
前記複数の分割導光体の各々は、前記各発光ダイオードに対応して設けられ、前記発光ダイオード側に開口を向けた空間部及び肉厚の導光部を有する箱形状を為しており、かつ前記空間部を形成する側面内壁と、該側面内壁と共に前記導光部を形成する側面外壁とを含み、
前記側面内壁は、前記側面外壁と対向する垂直面と、前記開口の面積を前記発光ダイオード側に向けて広げるように傾斜された傾斜面とを含み、
前記各分割導光体の側面外壁及び前記側面内壁の前記垂直面のそれぞれに光の反射面が設けられており、前記側面内壁の傾斜面は光の入射面とされていることを特徴とする。
【００１５】
上記分割導光体の一部または全部は、同一の成形型によって樹脂成形されていてもよい。
【００１６】
さらには、複数種の液晶パネルに対する各々の導光部材は、所定の形状に成形された複数個の分割導光体を保持部材、あるいは接着部材によってマトリックス状に結合して一体構造とし、複数種の任意の液晶パネルサイズに対応する大きさに構成される。
【００１９】
さらには、液晶パネルは、入射側の偏光板を反射型偏光板とした構成であって、箱状形状の導光体は、液晶パネルと対向する平面に入射側の偏光板で反射された光を錯乱する凹凸パターンを有する構成としている。
【発明の効果】
【００２０】
本発明によれば、ＬＥＤバックライトにおける導光部材を低コストで構成され、画面サイズに係わらず高輝度で均一な画質の液晶ディスプレイ機器を提供できる。
【発明を実施するための最良の形態】
【００２１】
以下本発明の実施形態について図を参照して説明する。図１は、液晶ディスプレイ機器の概略構成図である。図１の正面図においては、説明を解かり易くするために構成部品の一部である液晶ディスプレイ３を透視して記載している。液晶ディスプレイ機器１の筐体２内には、情報を表示する液晶パネル３と、液晶パネル３の背面にバックライト装置としての複数個のＬＥＤ光源（以下、ＬＥＤと称する）６と、ＬＥＤ６を縦横のマトリックス状に載置した回路基板４とが配置されている。液晶パネル３の光の入射側、出射側には、光の透過を制御する偏光板７（入側偏光板７１、出側偏光板７２）を有している。
【００２２】
回路基板４と液晶パネル３との間には、点光源のＬＥＤ６の光を、面光源として液晶パネル３を高輝度に照射するための導光部材５（分割導光体５０）を有している。
【００２３】
つぎに、図２、および図３を参照にして、本発明のバックライト装置について説明する。図２は、本発明におけるバックライト装置の一実施例を示す構成概要図である。図２に示すように、バックライト装置は、回路基板４上に載置された複数のＬＥＤ６と、ＬＥＤ６からの光を液晶パネル３の方向に出射するように導く分割導光体５０とを縦横のマトリックス状に複数組を配置した複合導光体（以降、導光部材と称す）５と、で構成されている。また、ＬＥＤ６の光を液晶パネル３に高輝度で均一に透過させるために、回路基板４及び導光部材５の大きさは液晶パネル３に略等しい大きさとして構成され、回路基板４及び導光部材５は、液晶パネル３に対向配置されている。回路基板４に載置されるＬＥＤ６の個数（ＬＥＤの配置間隔）の設定、および液晶パネル３の画面位置に関与しない輝度の設定は、ＬＥＤ６から輻射される光量とその輻射光を有効に利用する分割導光体５０の構造により定められることになる。
【００２４】
図２に示すバックライト装置は、同一の大きさの分割導光体５０を１６個マトリックス状に配置し、これらを接着部材あるいは保持部材８によって結合して構成している。この結合により一体構成された導光部材５を構成する分割導光体５０の個数は、液晶パネル３の所望される輝度に対し、搭載するＬＥＤ６の輝度の違いによって増減されるのは言及するまでもない。一方、液晶パネル３の異なるサイズに対して、所定の発光性能のＬＥＤ６と分割導光体５０との組を増減することにより、液晶パネル３の所望される輝度を画面サイズに関係ない一定の輝度で確保できる。すなわち、分割導光体５０の形状（D）（代表の1辺）を、複数種の液晶パネル３のサイズ（ｎ×D）（ｎは整数）の約数のサイズとすると、複数種の液晶パネル３を構成する際に、同一の成形型で形成される分割導光体５０を増減して、所定数を結合することで対応できることになる。
【００２５】
一方、分割導光体５０の成形型を複数種製造することを許容するならば、導光部材５を構成する分割導光体５０は、全てを同一の形状とする必要はなく、液晶パネル３を照射する位置に対応して搭載されるＬＥＤ６を異ならし、最適な導光体形状として分割、構成しても良い。さらには、分割数も１６個に限定されるものでもない。
【００２６】
つぎに、本実施例に係るバックライト装置における導光部材５の構造について説明する。図３は、本発明におけるバックライト装置の一実施例における導光部材の構造を示す断面図である。図３には、説明を解かり易くするために1組の分割導光体５０のみを示している。導光部材５は、前述したとおり、分割導光体５０を結合して構成される。分割導光体５０は、側面内壁５２と、側面外壁５３と、天面内壁５４と、天面外壁５５とを有し、下端部５１を開口する箱状の形状で、樹脂等で成形される構造としている。側面内壁５２の内側は空間部５５として形成され、側面内壁５２と側面外壁５３とで形成される肉厚の樹脂部は光の導光部５６として構成されている。また、分割導光体５０の平面形状は、ＬＥＤ６をマトリックス状に配置するに都合の良い略四角形の平面としているが、円形であっても他の多角形であっても良い。
【００２７】
さらには、分割導光体５０の液晶パネル３と対向する天面内壁５４、および天面外壁５５のどちらか一方、あるいは両方（５４、５５）の平面には、凹凸パターン５７を設けている。この凹凸パターン５７により、ＬＥＤ６から輻射される光や、およびＬＥＤ６から分割導光体５０に入射されて分割導光体５０から出射する光、または、液晶パネル３の入射側に反射型として構成された入射側偏光板７１で遮蔽され、反射される光を液晶パネルに再入射させるように、反射光を拡散、および錯乱する。
【００２８】
また、分割導光体５０の側面内壁５２の下端側には、側面内壁５２の所定位置より開口部に向かって開口空間面積を広げる傾斜面内壁５２１を形成している。この傾斜面内壁５２１（ｈ１領域）は、ＬＥＤ６の輻射光を導光部５６への入射を促すために設けている。必要に応じ、側面内壁５２（ｈ領域）を傾斜面内壁５２１のない垂直平面内壁５２２だけで構成しても良い。
【００２９】
さらには、傾斜面内壁５２１の平面（ｈ１）領域には、ＬＥＤ６の輻射光を導光部５６に入射し、液晶パネル３の方向に導光を促すためのプリズムパターン５８を平面上に形成していることが好ましい。図２では、説明を解かり易くするためにプリズムパターン５８を1つのみ拡大して示している。
【００３０】
また、分割導光体５０の側面外壁５３の全域（ｈ領域）には、傾斜面内壁５２１から導光部５６に入射された光を反射して、液晶パネル３の方向に導光するための反射面として作用する表面処理が施されている。
【００３１】
さらには、側面内壁５２の傾斜面内壁５２１以外の平面５２２は、側面外壁５３によって反射した光を再反射するための反射面として、あるいは、ＬＥＤ６から輻射される高角輻射光を反射するための反射面として作用する表面処理が施されている。
【００３２】
次に、本実施例に係る導光部材５におけるＬＥＤ６の輻射光の液晶パネル３への透過の状態について説明する。図４は、本発明のバックライト装置の一実施例における液晶パネルへの照射状態を概念的に説明する断面図である。
【００３３】
ＬＥＤ６は、回路基板４の液晶パネル３側の平面４１上に載置され、回路基板４の平面４１、あるいは回路基板４の対向平面４２に付設される配線（図示しない）にワイヤボンディング等によって電気的に接続され、通電される。また、ＬＥＤ６は、光輻射において所定の指向特性をもっている。
【００３４】
分割導光体５０は、ＬＥＤ６の光の利用を遺失することなく、液晶パネル３に効率良く導光するために、下端部５１をＬＥＤ６の載置されている回路基板４の平面４１と接触、あるいは近接して対向配置され、回路基板４上における１または複数のＬＥＤ６を分割導光体５０の内部の空間部５５に包含するように設置されている。
【００３５】
次に、ＬＥＤ６からの光が導光部材５によって液晶ディスプレイ３へ導かれる様子を、図４に示すように、３つの光（（イ）光、（ロ）光、（ハ）光）を例にして説明する。
【００３６】
前述したようにＬＥＤ６は、一般的に輻射光に指向特性を有している。搭載されるＬＥＤ６の所定の指向特性（指向角度：α度）をＡ直線として示す。実施例は、Ａ直線と天面内壁５４との交点において液晶パネル３の主平面と垂直に側面内壁５２を設けた分割導光体５０とすると、ＬＥＤ６の真上の光を含むＡ直線よりも低角輻射光である上方の方向に輻射される（イ）光は、分割導光体５０の側面内壁５２２の面上に投射されることなく、そのまま天面内壁５４に輻射される。ＬＥＤ６の指向特性内における低角輻射の高輝度な光は、分割導光体５０の天面内壁５４に入射し、天面外壁５５より出射される。この際、天面内壁５４の平面、あるいは天面外壁５５の平面に形成された凹凸拡散パターン５６により光の照射方向を拡散されて、液晶パネル３を高輝度で均一な照射を行うことになる。
【００３７】
ここで、ＬＥＤ６の指向特性を有する光において指向特性内の光で液晶パネル３を直接に照射する範囲は、指向角度（α度）のＡ直線の延長直線と液晶パネル３との交差する位置より中心側のエリア（ｗ）である。液晶ディスプレイ機器１において、指向特性（α度）を有するＬＥＤ６での液晶パネル３の照射面の範囲を指向角度（α度：Ａ直線）内のエリア（ｗ）に設定するならば、導光部５６に関係なく、指向特性内の高輝度な光で液晶パネル３を透過できることになる。すなわち、分割導光体５０の外形形状を側面内壁５２位置の大きさで構成し、導光部５６、及び側面外壁５３を割愛した小形の形状（ｄ）として構成でき、導光部材の小形化、簡素化が期待される。
【００３８】
しかし、一方で、液晶パネル３の照射可能なエリアが図に示す（ｗ）範囲の内部であり、小さくなる。液晶パネル３の全面を高輝度で均一な照射状態とするためには、図４に示す実施例のＬＥＤ６の配置間隔（Ｄ）を（ｄ）に近接させる必要があり、マトリック状に配置するＬＥＤ６の数を多く必要とする。ＬＥＤ６の数の増加を回避するためには、配置間隔を広げて、例えば（Ｄ）間隔のままとすることになる。この配置間隔（Ｄ）で、分割導光体５０の形状が、側面内壁５２の位置（ｄ）を側面外壁５３の位置（Ｄ）に向け拡大され、例えば（ｄo）位置とすると、液晶パネル３は、指向特性内の光と、少なくとも指向特性外の高角輻射光とによって、直接の照射による照射範囲を図に示すように広範囲（W）となる。しかし、ＬＥＤ６の指向特性内における低角輻射光による照射範囲（ｗの内領域）と、指向特性外の高角輻射光による照射部分（ｗの外領域）との両エリア間で指向特性に対応した輝度むらが顕著となる。一方、分割導光体５０の側面内壁５２の位置（ｄ）を変えることなく、ＬＥＤ６の指向特性（α度）において、輝度むらの発生を回避するためには、ＬＥＤ６と液晶パネル３との配置の距離間隔（Ｔ）を大きくすることによっても可能であるが、これは液晶ディスプレイ機器１の薄型を阻害するとともに、ＬＥＤ６からの液晶パネル３までの距離が離れるために液晶パネル３を透過する光の全体の輝度を低下することになり好ましくない。
【００３９】
故に、液晶ディスプレイ機器１の薄型、およびＬＥＤ６の光源数の削減等を図りながら、かつ簡素な構成によって高輝度で均一な画質を得ることを図るための導光部材５は、ＬＥＤ６の指向特性外の高角輻射の（ロ）光、（ハ）光の利用を遺失することなく活用することである。この高角輻射光の（ロ）光、（ハ）光の利用を図る分割導光体５０の構造について以下に説明する。
【００４０】
図４に示す実施例における分割導光体５０の形状は、ＬＥＤ６の指向角度（α度）のＡ直線が分割導光体５０の天側内壁５４と交差する位置で液晶パネル３に略垂直な側面内壁５２を構成している。
【００４１】
この構造において、ＬＥＤ６の指向角度（α度）よりも大きな高角輻射光（ロ）光、および（ハ）光は、分割導光体５０の側面内壁５２の平面に向け輻射されることになる。ここで、空気中から導光部材５への入射光の臨界角（β度）をＢ直線として示すと、側面内壁５２への入射角がＢ直線より大きい、例えば（ロ）光は側面内壁５２において空間部５５に反射され、Ｂ直線より小さい入射角の例えば（ハ）光は側面内壁５２から導光部５６に入射する。これにより、Ｂ直線と側面内壁５２との交点を傾斜面内壁５２１の形成始点となす位置、及び反射面と投射面との境としている。指向特性（α度）外の高角輻射光で臨界角（β度）以上の（ロ）光は、側面内壁５２（５２２）において反射されて天面内壁５４に向けて透過される。天面内壁５４、あるいは天面外壁５５に形成されている拡散凹凸パターン５７により錯乱され、液晶パネル３を照射する。側面内壁５２（５２２）には、反射時に反射光ロスを低減するために、反射面の処理加工がなされている。
【００４２】
また、高角輻射光で、臨界角（β度）よりもさらに高角輻射の（ハ）光は、分割導光体５０の傾斜面内壁５２１に投射され、導光部５６に屈折入射されることになる。導光部５６に入射された光は、側面外壁５３で反射され、側面内壁５２（５２２）との間で、反射を繰り返しながら導光部５６を液晶パネル３方向に導波して天面外壁５５より拡散凹凸パターン５７により錯乱出射し、液晶パネル６を照射する。よって、側面外壁５３．および側面内壁５２（５２２）は、反射面としての処理加工が施されている。
【００４３】
この構成によって、指向特性を有するＬＥＤ６のバックライト光源において、指向特性内の高輝度な光とともに、高角輻射光の利用を遺失すること無く有効に利用して液晶パネル３を高輝度に照射している。
【００４４】
ここで、液晶ディスプレイ機器１における光の利用効率については、液晶パネル３での偏光透過に関する課題がある。本発明おけるこの偏光に対する構成について説明する。図５は、本発明の液晶パネルにおける偏光板での光の遮蔽、反射に関する概念説明図である。図５において、ＬＥＤ６から輻射される光（１）は、実際にはあらゆる方向に振動する光波であるが、直交する2つの面の光によって説明を行う。
【００４５】
液晶パネル３は、液晶分子（図示せず）と、液晶分子を並べる配向膜及び透明電極板（３１、３２）と、偏光板７（入射側偏光板７１、出射側偏光板７２）とで構成され、入射側偏光板７１と、出射側偏光板７２の偏光特性は直交する方向で配置されている。
【００４６】
ＬＥＤ６からの輻射光は、入射側偏光板７１によって、ある一方の偏光成分だけを有する直線偏光に変えて透過される。入射側偏光板７１を通過した光（２）は、透明電極板３１、３２間に電圧を印加されていない状態では、液晶分子は９０度ねじれた状態にあり、入射側偏光板７１を通過した光（２）は、９０度ねじれて出射側偏光板７２を通過する（図示していない）。透明電極板３１、３２間に電圧が印加されると、液晶分子はねじれなく垂直に配向されて、入射側偏光板７１を通過した光（２）は、そのまま進み、直交に配置された出射側偏光板７２により遮蔽される(図示)。この液晶分子の配向を制御することにより、ＬＥＤ３の光の通過、遮蔽によって情報の表示が行なわれる。
【００４７】
よって、入射側偏光板７１によって遮蔽された偏光成分の光は、偏光板７１に吸収されるか、反射されるかに係わらず液晶パネル３に入射されずに遺失する光量となるものである。
【００４８】
本実施例における液晶ディスプレイ機器１は、偏光板７を反射型の偏光板として、遮蔽する方向の偏光光を全反射させる。反射型偏光板７１で全反射した光（３）は、分割導光体５０の天面外壁に設けた拡散凹凸パターン５８による錯乱させる構成としている。この錯乱光（４）の一部は、分割導光体５０内に再入射するものもあるが、他の大半部を液晶パネル３の方向に反射させて、入射側偏光板７１に再投射する構造としている。ただ、錯乱によって入射側偏光板７１を通過させるに十分な偏光方向に変えることができなかった光は、再度、入射側偏光板で遮蔽され、再々度反射される。これを繰り返しながら、入射側偏光板７１、および液晶パネル３を通過することにより、光源の光を有効に利用する構成としている。
【００４９】
以上のように、ＬＥＤ６の輻射光を有効に利用する構成の分割導光体５０の形状において、側面外壁の平面５３の位置（Ｄ）は、液晶パネル３を所望の輝度で照射する範囲を規定する位置（Ｗ）に対応して設定することが画面サイズに対応してバックライト装置を増減する上で好ましい。また、側面内壁の平面５２２の位置（ｄ）は、ＬＥＤ６の輻射光の指向特性（α度）外の高角輻射光による液晶パネル３の直接輻射光による輝度状態が許容値となる位置に極力広げることが光の利用上において好ましい。
【００５０】
ここで、側面外壁５３と側面内壁５２には、反射処理加工がなされ、ＬＥＤ６から輻射され導光部材５に入射された光が、導光部材５の外周部の平面５３より外側の領域には、原則的に導光されない様にしている。
【００５１】
本実施例に係る導光部材５は、ＬＥＤ７の指向特性に対応して、ＬＥＤ７の低角輻射光と高角輻射光を各々最適な導光方法として、損失を無くす、もしくは低減して有効に利用する構成としている。また、ＬＥＤ７の光の導波方向を液晶パネル３への照射の方向を主体にする構造とすることで、小形で簡素な構成とすることができ、ＬＥＤ７の点光源を液晶パネル３に面光源とすることにより、より均一で高輝度な画質の液晶ディスプレイ機器を実現するものである。
【００５２】
尚、側面内壁の平面５２２、および側面外壁の平面５３は、平面形状であり、その反射面の処理は、高反射性のシート部材等を分割導光体５０に貼り付けにより形成することも可能であり、高反射性の塗料を塗布してもよく、アルミニウームや銀等の高反射率の金属を蒸着して構成しても良い。
【００５３】
本実施例に係る１組のバックライト装置は、液晶パネル３の所定の面積（Ｗ）を所望の輝度で照射するために、照射面積（Ｗ）に略等しい大きさの分割導光体５０（Ｄ）とする構成としていることから、１組のバックライト装置の照射能力が特定され、かつ同一の照射性能の状態を確保できる。よって、液晶ディスプレイ機器１における種々の画面サイズに対応するにあたり、各々の液晶パネル３の表示面積に応じて１組のバクライト装置をマトリックス状に増減して枠組みすることによる一体構成として、所望の画面サイズに対応するバックライト装置を提供することが可能であり、かつ画面サイズに係わらず所定の輝度を得ることが容易に実現できるものであるまた、大画面に対応するバックライト装置でありながら、小形のバックライト装置の結合体で構成することから、導光部材５の製作において小形の製造設備で対応が可能であり、画面サイズに対応した新たな開発も、生産設備の投資も割愛でき生産の効率化が図れる。分割導光体５０を結合するに当たっては、各隣接する分割導光体５０を背着部材で接合し、全体を外部より保持する枠形状等の保持部材で結合することによるため、各画面サイズに対応した保持部材を製作するに留まるものである。一体構造とするにあたって、保持部材により結合方法か、接着材による接合方法かどちらかだけであっても良い。
【００５４】
さらには、同一物を多量に生産することから価格の低減等も図れる等の効果を有するものである。
【図面の簡単な説明】
【００５５】
【図１】液晶ディスプレイ機器の概略構成図である。
【図２】本発明におけるバックライト装置の一実施例を示す構成概要図である。
【図３】本発明におけるバックライト装置の一実施例における導光部材の構造を示す断面図である。
【図４】本発明のバックライト装置の一実施例における液晶パネルへの照射状態を概念的に説明する断面図である。
【図５】本発明の液晶パネルにおける偏光板での光の遮蔽、反射に関する概念説明図である。
【符号の説明】
【００５６】
１…液晶ディスプレイ機器、２…筐体、３…液晶パネル
４…回路基板、５…導光部材、６…発光ダイオード、
７…偏光板、８…結合部材
【図１】
0005081550.tif 000002
【図２】
0005081550.tif 000003
【図３】
0005081550.tif 000004
【図４】
0005081550.tif 000005
【図５】
0005081550.tif 000006